(57)【特許請求の範囲】
【請求項１】
販売商品データ処理を実行する上位機からの入金許可に基づいて、入金された貨幣を鑑別して計数し、金種毎に設けられた収納庫もしくは混合金種の収納庫に収納し、前記上位機からの入金終了指示に基づいて入金動作を停止し、前記上位機からの出金指示に基づいて金種及び枚数を決定して前記収納庫から釣銭を出金する金銭処理装置において、前記入金終了指示に基づいて入金動作を停止するとき、入金終了方法として、釣銭有、釣銭無、返却の何れか一つを設定し、前記入金終了方法として前記釣銭有が設定されるとき、前記釣銭の出金動作を前もって開始することを特徴とする金銭処理装置。
【請求項２】
販売商品データ処理を実行する上位機からの入金許可に基づいて、入金された貨幣を鑑別して計数し、金種毎に設けられた収納庫もしくは混合金種の収納庫に収納し、前記上位機からの入金終了指示に基づいて入金動作を停止し、前記上位機からの出金指示に基づいて金種及び枚数を決定して前記収納庫から釣銭を出金する金銭処理装置において、前記入金終了指示に基づいて入金動作を停止するとき、前記入金された貨幣に千円紙幣の入金が無かった場合のみ、前記釣銭の出金動作を前もって開始することを特徴とする金銭処理装置。
【請求項３】
販売商品データ処理を実行する上位機からの入金許可に基づいて、入金された貨幣を金種毎に鑑別して計数し、前記金種毎に設けられた収納庫もしくは混合金種の収納庫に収納し、前記上位機からの入金終了指示に基づいて入金動作を停止し、前記上位機からの出金指示に基づいて金種及び枚数を決定して前記収納庫から釣銭を出金する金銭処理装置において、入金された貨幣が鑑別、計数され、その貨幣の収納先が判定されるとき、前記上位機に対して前記貨幣の入金データが通知され、前記上位機は前記入金データに基づいて前記入金終了指示を行うことを特徴とする金銭処理装置。
【発明の詳細な説明】
【技術分野】
【０００１】
本発明は、小売店のレジ等に設置され、顧客等から受け取った貨幣を収納庫に収納するとともに、出金指示により収納庫から釣銭等を出金する金銭処理装置に関する。
【背景技術】
【０００２】
従来のこのような金銭処理装置としては、先に公開された特開２００５−２７５４６号公報(特許文献１)に記載されるような貨幣入出金装置が知られている。この特許文献1に記載される貨幣入出金装置は、貨幣が投入される入金口と、該入金口に投入された貨幣を金種判定および計数する貨幣識別計数手段と、該貨幣識別計数手段で金種判定および計数された貨幣を金種毎に分けて収納する収納部と、該収納部より指定金種の貨幣を指定枚数繰り出す繰出手段と、該繰出手段により繰り出された貨幣を機外に導く出金口とを有し、通常は、前記入金口に投入された投入貨幣を前記貨幣識別計数手段で金種判定および計数し、ＰＯＳレジスタ等から通知される商品買上金額と該入金額との差額の釣銭貨幣を前記収納部から前記出金口に出金させる貨幣入出金機であって、両替モードを指定する指定手段を備え、該指定手段で前記両替モードが指定されたとき、前記入金口に投入された一回分の投入貨幣を前記貨幣識別計数手段で金種判定および計数させて前記収納部に収納させるとともに、前記一回分の投入貨幣に対する同額の両替貨幣を前記繰出手段により前記収納部から前記出金口に出金させ、該両替動作が完了すると前記両替モードを自動的に解除して通常の運用状態に復帰させるものである。そして、このような貨幣入出金装置によれば、一台で釣銭貨幣の払い出しと貨幣の両替とを行うことができることから、両替を行うための両替専用機を導入する必要がなくなる。また、両替動作後は自動的に通常運用モードに戻るため、顧客との取引を円滑に進めることができるというものである。
【先行技術文献】
【特許文献】
【０００３】
【特許文献１】特開２００５−２７５７４６号公報
【発明の概要】
【発明が解決しようとする課題】
【０００４】
ところで、このような従来の貨幣入出金装置において、通常運用モードで釣銭を払い出す場合は、入金口に投入された投入貨幣を貨幣計数識別手段で金種判定、計数し、その合計金額が商品販売データ処理を実行する上位機（例えばＰＯＳレジスタ）に通知される。そうすると、上位機は投入貨幣の合計金額から商品等の買上げ金額を減算して釣銭金額を算出し、その釣銭金額を貨幣入出金装置の制御部に出力する。そして、貨幣入出金装置は、その釣銭金額の出力に基づいて、貨幣を釣銭貨幣として出金する出金動作を開始する。
ここで、貨幣入出金装置が例えば釣札を出金口に出金する場合は、上位機から貨幣入出金機の制御部に釣銭金額の出力がされた後、先ず紙幣収納部から出金口に紙幣を搬送する搬送手段の駆動部が駆動され、その駆動部が一定の駆動状態（例えば搬送ベルトの搬送速度が定常状態に到達した状態）に到達した後、紙幣収納部の繰出手段が駆動され、紙幣収納部の紙幣が１枚ずつ繰り出されて、所定枚数の紙幣が出金口に搬送される。したがって、貨幣入出金装置の投入口に商品の買物代金としての貨幣が投入されてから、出金口に釣札が搬送さるまでに多少の時間を要していた。そのため、レジカウンター等が混雑している場合は、顧客の清算待ち時間が長くなる問題があった。
【０００５】
本発明は、このような問題に対応するため、このような貨幣入出金装置において買物代金等としての預り金が投入口に入金されてから、出金口に釣貨幣が出金されるまでの時間を短縮することで、レジカウンター等での顧客の清算待ち時間を少なくし、顧客の便利性を向上することができる金銭処理装置を提供することを目的とするものである。
【課題を解決するための手段】
【０００６】
上記課題を解決するため、本発明によれば、販売商品データ処理を実行する上位機からの入金許可に基づいて、入金された貨幣を鑑別して計数し、金種毎に設けられた収納庫もしくは混合金種の収納庫に収納し、前記上位機からの入金終了指示に基づいて入金動作を停止し、前記上位機からの出金指示に基づいて金種及び枚数を決定して前記収納庫から釣銭を出金する金銭処理装置において、前記入金終了指示に基づいて入金動作を停止するとき、入金終了方法として、釣銭有、釣銭無、返却の何れか一つを設定し、前記入金終了方法として前記釣銭有が設定されるとき、前記釣銭の出金動作を前もって開始するものである。
【０００８】
また、販売商品データ処理を実行する上位機からの入金許可に基づいて、入金された貨幣を鑑別して計数し、金種毎に設けられた収納庫もしくは混合金種の収納庫に収納し、前記上位機からの入金終了指示に基づいて入金動作を停止し、前記上位機からの出金指示に基づいて金種及び枚数を決定して前記収納庫から釣銭を出金する金銭処理装置において、前記入金終了指示に基づいて入金動作を停止するとき、前記入金時に千円紙幣の入金が無かった場合のみ、前記釣銭の出金動作を前もって開始するものである。
【０００９】
これらによれば、前記上位機からの入金終了指示に基づいて入金動作が停止されるとき、前記釣銭の出金動作が開始されるから、前記出金指示に基づいて釣銭の出金動作が開始される従来機に比べて、買物代金等としての預り金が投入口に入金されてから、出金口に釣貨幣が出金されるまでの時間を短縮することができる。
【００１０】
また、販売商品データ処理を実行する上位機からの入金許可に基づいて、入金された貨幣を金種毎に鑑別して計数し、前記金種毎に設けられた収納庫もしくは混合金種の収納庫に収納し、前記上位機からの入金終了指示に基づいて入金動作を停止し、前記上位機からの出金指示に基づいて金種及び枚数を決定して前記収納庫から釣銭を出金する金銭処理装置において、入金された貨幣が鑑別、計数され、その貨幣の収納先が判定されるとき、前記上位機に対して前記貨幣の入金データが通知され、前記上位機は前記入金データに基づいて前記入金終了指示を行うものである。
【００１１】
これによれば、入金された貨幣の収納先が判定されるとき、前記上位機に対して前記貨幣の入金データが通知され、これに基づいて前記上位機は前記入金終了指示を行うから、入金された貨幣が金種毎に設けられた収納庫もしくは混合金種の収納庫に収納されてから前記上位機に対して前記貨幣の入金データが通知され、これに基づいて前記入金終了指示を行う従来機に比べて、買物代金等としての預り金が投入口に入金されてから、出金口に釣貨幣が出金されるまでの時間を短縮することができる。
【発明の効果】
【００１２】
以上説明したように本発明によれば、買物代金等としての預り金が投入口に入金されてから、出金口に釣貨幣が出金されるまでの時間を従来機に比べて短縮することができるから、買物代金等を精算するレジカウンター等での顧客の待ち時間を少なくし、顧客の便利性を向上することができる金銭処理装置を提供することができる。
【図面の簡単な説明】
【００１３】
【図１】本発明の実施の形態の金銭処理装置の外観を示す斜視図である。
【図２】本発明の実施の形態の金銭処理装置における硬貨入出金部の内部構成を模式的に示す平面図である。
【図３】本発明の実施の形態の金銭処理装置における紙幣入出金部の内部構成を模式的に示す側面図である。
【図４】本発明の実施の形態の金銭処理装置の制御系を示すブロック図である。
【図５】本発明の実施の形態の金銭処理装置において、制御手段の入出金制御部が実施する紙幣収納部の入出金処理の内容を示すフローチャートである。
【発明を実施するための形態】
【００１４】
本発明の実施の形態について図を参照して説明する。図１は、本発明の実施の形態の金銭処理装置の外観を示す斜視図、図２は、本発明の実施の形態の金銭処理装置における硬貨入出金部の内部構成を模式的に示す平面図、図３は、本発明の実施形態の金銭処理装置における紙幣入出金部の内部構成を模式的に示す側面図である。図に示すように、この貨幣入出金機は、スーパーマーケットやコンビニエンスストア等の店舗においてＰＯＳレジスタ装置（上位機）９０（図４参照）に接続される自動釣銭機として用いられるもので、直方体状を成す装置本体１の前端部に硬貨投入口１１、硬貨出金口１２、紙幣投入口２１、紙幣出金口２２を備えている。
【００１５】
硬貨投入口１１は、投入された硬貨を装置本体１の内部に受け入れるための開口であり、装置本体１の上面に形成されている。硬貨投入口１１に投入された硬貨は、図示せぬ投入検出センサによって検出され、図２に示すように、硬貨収納部１０の硬貨搬送機構１３によって搬送される。ここで搬送される硬貨は、硬貨鑑別センサ１４によって鑑別された後、金種に応じて硬貨収納庫（収納庫）１５に収納される。本実施の形態では、装置本体１の内部に１円硬貨収納庫１５ａ、５０円硬貨収納庫１５ｂ、５円硬貨収納庫１５ｃ、１００円硬貨収納庫１５ｄ、１０円硬貨収納庫１５ｅ、５００円硬貨収納庫１５ｆがそれぞれ設けられ、投入された硬貨が金種ごとに個別にこれらに収納される。硬貨出金口１２は、それぞれの硬貨収納庫１５から搬出された硬貨を装置本体１の外部に払い出すための開口であり、装置本体１の前面に形成されている。尚、図中の符号１７は、硬貨出金口１２から払い出された硬貨を受入れる受け皿である。
【００１６】
紙幣投入口２１は、投入された紙幣を装置本体１の内部に受け入れるための開口であり、装置本体１の前面上部に設けてある。紙幣投入口２１に投入された紙幣は、図３に示すように投入検知センサ２６によって検知された後、紙幣収納部２０の紙幣搬送機構２３によって搬送される。搬送された紙幣は、紙幣鑑別センサ２４によって鑑別された後、金種に応じて紙幣収納庫（収納庫）２５ｂ、２５ｃに収納されることになる。本実施の形態では、装置本体１の内部に千円紙幣収納庫２５ｂと、混合紙幣収納庫２５ｃが設けてあり、投入された紙幣を千円札と、その他の紙幣の２種類に分別して収納するようにしている。また、装置本体１の内部には紙幣精査用の精査紙幣収納庫２５ａが設けられ、必要に応じて千円紙幣収納庫２５ｂ及び混合紙幣収納庫２５ｃ内の紙幣が精査紙幣収納庫２５ａ内に移送されて紙幣収納部２０内に収納される紙幣の精査が実施される。なお、各紙幣収納庫２５ａ，２５ｂ，２５ｃには、紙幣の入出を検知する入口センサ２７ａ、２７ｂ、２７ｃが設けられるとともに、各紙幣収納庫２５ａ，２５ｂ，２５ｃから１枚ずつ紙幣を繰り出すための繰出モータ２８ａ、２８ｂ、２８ｃがそれぞれに対応して設けられている。また、紙幣収納部２０内には、紙幣投入口２１に投入された紙幣を内部に取り込むための取込モータ２９ａ、紙幣搬送機構２３を駆動するための搬送路モータ２９ｂが設けられている。紙幣出金口２２は、紙幣収納庫２５ｂ、２５ｃから搬出された紙幣を装置本体１の外部に払い出すための開口であり、装置本体１の前面に設けてある。
また、装置本体１の前方部には、図１に示すように表示手段３０及び入力手段４０が設けられている。表示手段３０は、操作者に対して各種表示を行うためのもので、例えば液晶表示器によって構成されている。入力手段４０は、操作者が各種指令を入力するためのもので、例えば複数の押ボタンスイッチによって構成されている。
【００１７】
図４は、上述した金銭処理装置の制御系を示すブロック図である。図４に示す制御手段５０は、入力手段４０を通じて指令が与えられた場合、あるいは硬貨鑑別センサ１４、紙幣鑑別センサ２４から検出信号が与えられた場合、さらには上位装置であるＰＯＳレジスタ装置９０から各種指令が与えられた場合に、メモリ６０に格納されたプログラムや設定データに基づいて表示手段３０の表示制御、硬貨搬送機構１３の駆動制御、紙幣搬送機構２３の駆動制御を行うものである。図からも明らかなように、制御手段５０は、通信制御部５１、表示制御部５２、入力制御部５３、搬送制御部５４、入出金制御部５５、回収制御部５６、精査制御部５７、異常監視部５８を有している。
【００１８】
通信制御部５１は、通信インターフェース３を介して接続されたＰＯＳレジスタ装置９０との間においてデータの送受信制御を行うものである。表示制御部５２は、表示指令を与えることによって表示手段３０に所望の表示を行う等、表示手段３０に対する表示制御を行うものである。入力制御部５３は、入力手段４０が操作された場合にこれに対応する指令を各部に与えるものである。搬送制御部５４は、搬送指令が与えられた場合に、この搬送指令に従って硬貨搬送機構１３、紙幣搬送機構２３の駆動を制御するものである。
入出金制御部５５は、ＰＯＳレジスタ装置９０から入金許可指示が与えられた後に貨幣が投入された場合に、入金許可指示に従って貨幣の入金処理を行い、かつＰＯＳレジスタ装置９０から出金指示が与えられた場合に、出金指示に従って貨幣の出金処理を行うものである。また、入出金制御部５５は、これらの入金処理及び出金処理を実行している間、実施した入金処理及び出金処理の内容を入出金情報６１として逐次メモリ６０に格納する処理も行う。なお、入出金制御部５５には、硬貨鑑別センサ１４または紙幣鑑別センサ２４の鑑別結果と、硬貨収納庫１５または紙幣収納庫２５の貨幣収納状況に基づいて、入金された貨幣の搬送先を判定する入金搬送先判定部５９が設けられている。
回収制御部５６は、ＰＯＳレジスタ装置９０から回収指示が与えられた場合に、回収指示に従って貨幣の回収処理を行うものである。また、回収制御部５６は、回収処理を実施した場合、その処理の内容を回収処理情報６２としてメモリ６０に格納する処理も行う。
精査制御部５７は、ＰＯＳレジスタ装置９０から貨幣精査指示が与えられた場合に、その貨幣精査指示に従って紙幣の精査処理等を行うものである。また、精査制御部５７は、貨幣精査処理を実施した場合、その処理の内容を精査処理情報６３としてメモリ６０に格納する処理も行う。
【００１９】
異常監視部５８は、入出金制御部５５による入金処理及び出金処理に異常が発生したか否かを監視し、その監視結果を異常監視情報６４としてメモリ６０に格納する処理を行うものである。
図５は、図４に示す制御手段５０の入出金制御部５５が実施する紙幣収納部２０の入出金処理の内容を示すフローチャートである。このフローチャートを参照しながら、この金銭処理機における紙幣の入出金動作について説明する。
図５に示す入出金処理動作において制御手段５０の入出金制御部５５は、先ず通信制御部５１を通じてＰＯＳレジスタ装置９０からの入金許可指示を監視する（ステップＳ１０１）。ＰＯＳレジスタ装置９０から入金許可があった場合（ステップＳ１０１：ＹＥＳ）は、紙幣収納部２０の搬送路モータ２９ｂを入金・収納側に向けて駆動し、次いで取込モータ２９ａを駆動する（ステップＳ１０２）。そして、取込モータ２９ａの駆動により、紙幣投入口２１に投入された紙幣を一枚ずつ紙幣搬送路２３に取り込んで、紙幣鑑別センサ２４により識別する（ステップＳ１０３：ＹＥＳ）。紙幣鑑別センサ２４により紙幣が識別されると、入金搬送先判定部５９によりそれが収納される紙幣収納庫２５が判定され、その判定結果に応じて、それぞれ紙幣が千円紙幣収納庫２５ｂ，または混合紙幣収納庫２５ｃに収納さる。そうすると、その入金紙幣がカウントアップされ、その入金金額が通信制御部５１を通じてＰＯＳレジスタ装置９０に通知される（ステップＳ１０４）。この動作は、紙幣投入口２１に投入された紙幣が紙幣搬送路２３に全て取込まれ、投入検知センサ２６により検知されなくなるまで繰り返される（ステップＳ１０５：ＹＥＳ）。そして、紙幣投入口２１の紙幣が投入検知センサ２６により検知されなくなる（ステップＳ１０５：ＮＯ）と、取込モータ２９ａを停止し、さらに搬送路モータ２９ｂを停止する（ステップＳ１０６）。次に、ＰＯＳレジスタ装置９０からの入金終了指示を監視する（ステップＳ１０７）。そして、入金終了指示があった場合（ステップＳ１０７：ＹＥＳ）は、ＰＯＳレジスタ装置９０の買上金額情報や入金金額情報に基づいて、入金終了方法を設定する（ステップＳ１０８）。
【００２０】
ここで、釣札の出金が予測される場合は、入金終了方法を「釣あり（釣銭有）」に設定（ステップＳ１０８：釣あり）し、次いで搬送路モータ２９ｂを出金・返却側に向けて駆動し、紙幣収納庫２５ｂ，２５ｃから搬出された紙幣を紙幣出金口２２に向けて搬送する状態にして、紙幣搬送路２３の出金搬送設定（フラグ）を「動作中」と記録し、出金指示待ち時間（例えば３秒）をセットする（ステップＳ１０９）。そして、ＰＯＳレジスタ装置９０からの出金指示を監視する（ステップＳ１１０）。そして、ＰＯＳレジスタ装置９０から出金指示があった場合（ステップＳ１１０：ＹＥＳ）は、紙幣搬送路２３の出金搬送設定が「動作中」であるかを判定し（ステップＳ１１１）、その出金搬送設定が「動作中」に記録にされている場合（ステップＳ１１１：ＹＥＳ）は、繰出モータ２８ｂを駆動し（ステップＳ１１３）、千円紙幣収納庫２５ｂから千円紙幣を繰り出し、それを釣札として紙幣出金口２２に向けて搬送する。この場合に紙幣鑑別センサ２４等により千円紙幣の繰り出し枚数が計数され、出金指示された枚数の千円紙幣が繰り出されたか監視される（ステップＳ１１４）。そして、出金指示された枚数の千円紙幣が繰り出される（ステップＳ１１４：ＹＥＳ）と、繰出モータ２８ｂが停止され、続いて搬送路モータ２９ｂが停止され、その出金搬送設定を「停止中」と記録すること（ステップＳ１１５）にて、入出金処理が終了する。なお、ＰＯＳレジスタ装置９０から出金指示があった場合（ステップＳ１１０：ＹＥＳ）に、紙幣搬送路２３の出金搬送設定が「動作中」の状態にないとき（ステップＳ１１１：ＮＯ）は、出金指示待ち時間が経過（後述のステップＳ１１７：ＹＥＳを参照）した後、搬送路モータ２９ｂが停止され、紙幣搬送路２３の搬送が停止され、その出金搬送設定を「停止中」と記録した（ステップＳ１１８参照）状態のため、再び、搬送路モータ２９ｂを出金・返却側に向けて駆動し、紙幣搬送路２３の出金搬送設定を“動作中”と記録する（ステップＳ１１２）処理を行う。
【００２１】
また、ＰＯＳレジスタからの出金指示を監視する（ステップＳ１１０）場合において、ＰＯＳレジスタ装置９０からの出金指示がない場合は、紙幣搬送路２３の出金搬送設定が「動作中」に記録されているかを判定し（ステップＳ１１６）、その出金搬送設定が「動作中」にされている場合（ステップＳ１１６：ＹＥＳ）は、出金指示待ち時間が経過したか判定（ステップＳ１１７）し、出金指示待ち時間が経過していれば（ステップＳ１１７：ＹＥＳ）、搬送路モータ２９ｂが停止され、紙幣搬送路２３の出金搬送設定を「停止中」に記録し（ステップＳ１１８）て、再びＰＯＳレジスタからの出金指示を監視する。なお、この場合に紙幣搬送路２３の出金搬送設定が「動作中」とされていない場合（ステップＳ１１６：ＮＯ）、及び出金指示待ち時間が経過していない場合（ステップＳ１１７：ＮＯ）も同様に、再びＰＯＳレジスタ装置９０からの出金指示を監視する。
また、入金終了指示があった場合（ステップＳ１０７：ＹＥＳ）に、入金紙幣を返却する場合（入金が取り消された場合等）は、入金終了方法を「返却」に設定（ステップＳ１０８：返却）し、次いで搬送路モータ２９ｂを出金・返却側に向けて駆動し、紙幣搬送路２３の出金搬送設定を「動作中」と記録し、さらに繰出モータ２８ｂ、２８ｃを駆動し（ステップＳ１１９）、紙幣収納庫２５ｂ、２５ｃから入金された紙幣を繰り出し、紙幣出金口２２に向けて返却、搬送する。この場合に紙幣鑑別センサ２４等により返却紙幣の枚数が計数され、入金された紙幣が全て返却されたか監視される（ステップＳ１２０）。そして、入金された紙幣がすべて返却（ステップＳ１２０：ＹＥＳ）されると、繰出モータ２８ｂ、２８ｃが停止され、続いて搬送路モータ２９ｂが停止され、その出金搬送設定を「停止中」と記録すること（ステップＳ１２１）にて、入出金処理が終了する。
また、入金終了指示があった場合（ステップＳ１０７：ＹＥＳ）に、釣札の出金等の他の動作を行わずに入金処理を終了する場合は、入金終了方法を「釣なし（釣銭無）」に設定（ステップＳ１０８：釣なし）することで、入金処理がそのまま終了する。
【００２２】
ところで、入金終了方法を「釣あり」に設定（ステップＳ１０８：釣あり）する場合に、「千円紙幣の入金がなかったとき」を条件としても良い。すなわち、千円紙幣を入金して、釣札として千円紙幣を出金することは稀であるため、入金終了方法を「釣あり」に設定（ステップＳ１０８：釣あり）した場合に、出金指示なしの場合（ステップＳ１１０：ＮＯ）が生じる頻度を少なくし、装置の無駄な動作を少なくすることができる。
また、本実施の形態においては、ＰＯＳレジスタ装置９０から入金許可があった場合（ステップＳ１０１：ＹＥＳ）に、紙幣投入口２１に投入された紙幣を紙幣搬送路２３に取り込んで識別（ステップＳ１０３：ＹＥＳ）し、その紙幣が紙幣収納庫２５ｂ，２５ｃに収納さると、その入金金額が通信制御部５１を通じてＰＯＳレジスタ装置９０に通知される（ステップＳ１０４）態様であるが、入金金額をＰＯＳレジスタ装置９０に通知するタイミングを、入金紙幣が識別され、その収納先が入金搬送先判定部５９により判定されたときとしても良い。このようにすることで、入金金額をＰＯＳレジスタ装置９０に通知するタイミングを早め、これによるＰＯＳレジスタ装置９０の入金終了指示を早め行うことができるから、入金処理時間を短縮することが可能である。なお、入金金額をＰＯＳレジスタ装置９０に通知するタイミングは、入金紙幣の収納先が判定されてから行われるから、紙幣収納庫２５ｂ，２５ｃが満杯等により紙幣が収納されない場合は、入金金額がカウントアップされず、入金金額の通知を精度の良く行うことができる。
【００２３】
以上のように、本発明の金銭処理装置は、ＰＯＳレジスタ装置９０からの入金許可指示に基づいて、入金された貨幣を鑑別して計数し、金種毎に設けられた収納庫２５ｂもしくは混合金種の収納庫２５ｃに収納し、ＰＯＳレジスタ装置９０からの入金終了指示に基づいて入金動作を停止し、ＰＯＳレジスタ装置９０からの出金指示に基づいて金種及び枚数を決定して収納庫２５ｂ，２５ｃから釣銭を出金する金銭処理装置において、前記入金終了指示に基づいて入金動作を停止するとき、釣銭の出金動作である搬送路モータ２９ｂの駆動等を前もって開始するものである。
【００２４】
また、本発明の金銭処理装置は、ＰＯＳレジスタ装置９０からの前記入金終了指示があるとき、入金終了方法として、釣銭有、釣銭無、返却の何れか一つを設定し、前記入金終了方法として前記釣銭有が設定されるとき、釣銭の出金動作である搬送路モータ２９ｂの駆動等を前もって開始するものである。
【００２５】
また、本発明の金銭処理装置は、前記入金時に千円紙幣の入金が無かった場合のみ、釣銭の出金動作である搬送路モータ２９ｂの駆動等を前もって開始することができるものである。
【００２６】
これらによれば、ＰＯＳレジスタ装置９０からの入金終了指示に基づいて入金動作が停止されるとき、釣銭の出金動作である搬送路モータ２９ｂの駆動等が開始されるから、前記出金指示に基づいて釣銭の出金動作が開始される従来機に比べて、買物代金等としての預り金が投入口に入金されてから、出金口に釣貨幣が出金されるまでの時間を短縮することができる。
また、本発明の金銭処理装置は、入金された貨幣が鑑別、計数され、その貨幣の収納先が判定されるとき、ＰＯＳレジスタ装置９０に対して前記貨幣の入金データが通知され、ＰＯＳレジスタ装置９０は前記入金データに基づいて前記入金終了指示を行うものである。
これによれば、入金された貨幣の収納先が判定されるとき、ＰＯＳレジスタ装置９０に対して前記貨幣の入金データが通知され、これに基づいてＰＯＳレジスタ装置９０は前記入金終了指示を行うから、入金された貨幣が金種毎に設けられた収納庫等に収納されてからＰＯＳレジスタ装置等に対して貨幣の入金データが通知され、これに基づいて入金終了指示を行う従来機に比べて、買物代金等としての預り金が投入口に入金されてから、出金口に釣貨幣が出金されるまでの時間を短縮することができる。
これらにより、買物代金等を精算するレジカウンター等での顧客の待ち時間を少なくし、顧客の便利性を向上することができる金銭処理装置を提供することができる。
なお、本発明は、言うまでもなく本実施の形態に示す装置にのみ限定されず、その趣旨の包含する範囲で応用変更が可能である。例えば、この金銭処理装置を構成する硬貨収納部１０や紙幣収納部２０の構成、形状や、表示手段３０、或は入力手段４０の表示形態及び構成等は、この実施形態に示すものに限定されるものではない。また、この金銭処理機の入出金動作として、紙幣収納部２０の入出金処理の内容をフローチャートにて例示したが、硬貨収納部１０についてもこれに順ずる入出金処理を実施することが可能である。
【符号の説明】
【００２７】
１０  硬貨収納部
１１  硬貨投入口
１２  硬貨出金口
２０  紙幣収納部
２１  紙幣投入口
２２  紙幣出金口
２３  紙幣搬送機構
２４  紙幣鑑別センサ
２５ｂ  千円紙幣収納庫（収納庫）
２５ｃ  混合紙幣収納庫（収納庫）
２６  投入検知センサ
２８ｂ  繰出モータ（千円紙幣収納庫用）
２８ｃ  繰出モータ（混合紙幣収納庫用）
２９ａ  取込モータ
２９ｂ  搬送路モータ
５１  通信制御部
５５  入出金制御部
５９  入金搬送先判定部
９０  ＰＯＳレジスタ装置（上位機）
【図１】
0005707746.tif 000002
【図２】
0005707746.tif 000003
【図３】
0005707746.tif 000004
【図４】
0005707746.tif 000005
【図５】
0005707746.tif 000006